【手続補正書】
【提出日】平成18年10月25日(2006.10.25)
【手続補正１】
【補正対象書類名】特許請求の範囲
【補正対象項目名】全文
【補正方法】変更
【補正の内容】
【特許請求の範囲】
【請求項１】
置換もしくは非置換フェノールを、アルカリ触媒の存在下において、６５℃以下の温度でアルデヒドと反応させ、次いでｐＨが５．５〜６．６になるまで中和することによって得られる高反応性フェノールレゾール樹脂。
【請求項２】
触媒の中和前において、置換もしくは非置換フェノールを、アルカリ触媒の存在下において、６０±２℃以下の温度でアルデヒドと反応させることによって得られる請求項１記載の高反応性フェノールレゾール樹脂。
【請求項３】
触媒の中和前において、置換もしくは非置換フェノールを、アルカリ触媒の存在下において、約６０℃以下の温度でアルデヒドと反応させることによって得られる請求項１または２記載の高反応性フェノールレゾール樹脂。
【請求項４】
アルデヒドがホルムアルデヒドである請求項１から３いずれかに記載の高反応性フェノールレゾール樹脂。
【請求項５】
アルカリ触媒が水酸化ナトリウムである請求項１から４いずれかに記載の高反応性フェノールレゾール樹脂。
【請求項６】
フェノールレゾール樹脂が１０００ダルトンよりも大きくない分子量を有する請求項１記載の高反応性フェノールレゾール樹脂。
【請求項７】
１５℃〜２５℃の温度で完全架橋可能な請求項１記載の高反応性フェノールレゾール樹脂。
【請求項８】
該樹脂の重量の１０倍量までの水の存在下において、１５℃〜２５℃の温度で完全架橋可能な請求項１記載の高反応性フェノールレゾール樹脂。
【請求項９】
遊離フェノールを１２〜１５％（ｗ／ｗ）含有する請求項１記載の高反応性フェノールレゾール樹脂。
【請求項１０】
下記の成分（Ｉ）および成分（II）を含有するフェノール系シンタクチックフォーム組成物用プレミックス：
（Ｉ）熱発泡性および／または熱発泡化熱可塑性微小球であって、ニトリル含有エチレン性不飽和モノマーもしくはその混合物１００〜２５重量部（例えば、９３〜４０重量部）およびニトリル不含エチレン性不飽和モノマーもしくはその混合物０〜７５重量部（例えば、７〜６０重量部）から調製されるホモポリマー製もしくはコポリマー製の熱可塑性ポリマー外殻並びに該熱可塑性ポリマー外殻内に封入された液状発泡剤もしくはその混合物を含有する該熱可塑性微小球、
（II）請求項１から９いずれかに記載の高反応性フェノールレゾール樹脂。
【請求項１１】
少なくとも１種のニトリル含有エチレン酸不飽和モノマーが次の群から選択されるモノマー（好ましくは、アクリロニトリルまたはメタクリロニトリル）である請求項１０記載のプレミックス：アクリロニトリル、メタクリロニトリル、α−クロロアクリロニトリル、α−エトキシアクリロニトリル、フマロアクリロニトリル、クロトアクリロニトリルおよびこれらの混合物。
【請求項１２】
少なくとも１種のニトリル不含エチレン性不飽和モノマーが次の群から選択されるモノマー（好ましくは、ビニリデンクロリドおよび／またはビニルクロリド）である請求項１０または１１記載のプレミックス：アクリル酸エステル、メタクリル酸エステル、ビニルクロリド、ビニリデンクロリド、ビニリデンジクロリド、ビニルピリジン、ビニルエステル、スチレンおよびその誘導体並びにこれらの混合物。
【請求項１３】
液状発泡剤が短鎖アルカン、短鎖イソアルカンおよびこれらの混合物から選択される揮発性液体である請求項１０から１２いずれかに記載のプレミックス。
【請求項１４】
液状発泡剤がイソペンタン、イソブタン、ｎ−ブタン、ペンタンおよびこれらの混合物から成る群から選択される請求項１３記載のプレミックス。
【請求項１５】
下記の成分（Ｉ）〜（III）を含有するフェノール系シンタクチックフォーム組成物：
（Ｉ）熱発泡性および／または熱発泡化熱可塑性微小球であって、ニトリル含有エチレン性不飽和モノマーもしくはその混合物１００〜２５重量部（例えば、９３〜４０重量部）およびニトリル不含エチレン性不飽和モノマーもしくはその混合物０〜７５重量部（例えば、７〜６０重量部）から調製されるホモポリマー製もしくはコポリマー製の熱可塑性ポリマー外殻並びに該熱可塑性ポリマー外殻内に封入された液状発泡剤もしくはその混合物を含有する該熱可塑性微小球、
（II）請求項１から９いずれかに記載の高反応性フェノールレゾール樹脂、および
（III）フェノールレゾール樹脂硬化用酸性触媒。
【請求項１６】
フェノール系シンタクチックフォーム組成物の製造方法であって、請求項１０から１４いずれかに記載のプレミックスを、フェノールレゾール樹脂硬化用酸性触媒の存在下で硬化させることを含む該製造方法。
【請求項１７】
下記の成分（Ｉ）〜（III）を硬化処理に付すことを含むフェノール系シンタクチックフォーム組成物の製造方法：
（Ｉ）熱発泡性および／または熱発泡化熱可塑性微小球であって、ニトリル含有エチレン性不飽和モノマーもしくはその混合物１００〜２５重量部（例えば、９３〜４０重量部）およびニトリル不含エチレン性不飽和モノマーもしくはその混合物０〜７５重量部（例えば、７〜６０重量部）から調製されるホモポリマー製もしくはコポリマー製の熱可塑性ポリマー外殻並びに該熱可塑性ポリマー外殻内に封入された液状発泡剤もしくはその混合物を含有する該熱可塑性微小球、
（II）請求項１から９いずれかに記載の高反応性フェノールレゾール樹脂、および
（III）フェノールレゾール樹脂硬化用酸性触媒。
【請求項１８】
高反応性フェノールレゾール樹脂が、置換もしくは非置換フェノールを、アルカリ触媒の存在下において、６０±２℃以下（好ましくは約６０℃以下）の温度でアルデヒドと反応させることによって得られる請求項１６または１７記載の方法。
【請求項１９】
アルデヒドがホルムアルデヒドである請求項１６から１８いずれかに記載の方法。
【請求項２０】
アルカリ触媒が水酸化ナトリウムである請求項１６から１９いずれかに記載の方法。
【請求項２１】
フェノールレゾール樹脂が１０００ダルトンよりも大きくない分子量を有する請求項１６から２０いずれかに記載の方法。
【請求項２２】
酸性触媒が次の群から選択される請求項１６から２１いずれかに記載の方法：強有機酸、強有機酸エステル、弱無機酸、弱無機酸のエステルおよびこれらの混合物。
【請求項２３】
酸性触媒が弱無機酸、弱無機酸のエステルおよびこれらの混合物から選択される請求項２２記載の方法。
【請求項２４】
酸性触媒がリン酸エステル、リン酸またはこれらの混合物である請求項２３記載の方法。
【請求項２５】
酸性触媒が強有機酸をさらに含有する請求項２４記載の方法。
【請求項２６】
強有機酸がｐ−トルエンスルホン酸である請求項２５記載の方法。
【請求項２７】
少なくとも１種のニトリル含有エチレン酸不飽和モノマーが次の群から選択されるモノマー（好ましくは、アクリロニトリルまたはメタクリロニトリル）である請求項１６から２６いずれかに記載の方法：アクリロニトリル、メタクリロニトリル、α−クロロアクリロニトリル、α−エトキシアクリロニトリル、フマロアクリロニトリル、クロトアクリロニトリルおよびこれらの混合物。
【請求項２８】
少なくとも１種のニトリル不含エチレン性不飽和モノマーが次の群から選択されるモノマー（好ましくは、ビニリデンクロリドおよび／またはビニルクロリド）である請求項１６から２７いずれかに記載の方法：アクリル酸エステル、メタクリル酸エステル、ビニルクロリド、ビニリデンクロリド、ビニリデンジクロリド、ビニルピリジン、ビニルエステル、スチレンおよびその誘導体並びにこれらの混合物。
【請求項２９】
液状発泡剤が短鎖アルカン、短鎖イソアルカンおよびこれらの混合物から選択される揮発性液体である請求項１６から２８いずれかに記載の方法。
【請求項３０】
液状発泡剤がイソペンタン、イソブタン、ｎ−ブタン、ペンタンおよびこれらの混合物から成る群から選択される請求項２９記載の方法。